(57)【要約】      （修正有）【課題】バッテリパックの着脱の作業が容易で小型・薄型の電子機器を提供する。【解決手段】バッテリパック装着部の正面側の端部に係合部を設け、バッテリパック２０にその係合部に対して相対的にＸ軸方向に嵌り合って係合可能な係合部を設ける。バッテリパックの背面寄りの位置にＹ軸方向に移動自在な可動部２４ａ、２４ｂを設け、バッテリパック装着部には、バッテリパックが装着される際に可動部と干渉して、バッテリパックの着脱を規制する第１の位置から着脱を許容する第２の位置に一時的に退避させるための爪部を設ける。可動部は爪部との干渉による退避方向に対して圧縮バネによって逆方向に付勢されている。【選択図】図５
2010157442.tif 000002
【特許請求の範囲】
【請求項１】
第１の座標軸方向の一方の端部に設けられる蝶番部を介して開閉可能に設けられる表示部と、
前記第１の座標軸方向の一方の端部にバッテリパック装着部とを有する本体と、
前記バッテリパック装着部に対して第１の座標軸方向に沿って着脱自在なバッテリパックと、
前記バッテリパック装着部の前記第１の座標軸方向の前記一方の端部寄りの位置に設けられた第１のコネクタ部と、
前記バッテリパックに設けられ、前記第１のコネクタ部と接続可能な第２のコネクタ部と、
前記バッテリパック装着部の前記第１の座標軸方向の他方の端部に設けられた第１の係合部と、
前記バッテリパックに設けられ、前記第１の係合部に対して相対的に前記第１の座標軸方向に嵌り合って係合可能な第２の係合部と、
前記バッテリパックの前記第１の座標軸方向の一方の端部に設けられ、前記蝶番部を避けるための切り欠き部と
を具備する電子機器。
【請求項２】
請求項１に記載の電子機器であって、
前記バッテリパックの前記第１の座標軸方向の前記一方の端部寄りの位置に前記第１の座標軸方向に対して直交する第２の座標軸方向に移動自在に設けられた第１の可動部と、
前記バッテリパック装着部に設けられ、前記バッテリパックが装着される際、前記第１の可動部と干渉して、前記第１の可動部を、前記バッテリパック装着部に対する前記バッテリパックの着脱を規制する第１の位置から着脱を許容する第２の位置に前記第２の座標軸方向に一時的に退避させる第１の可動部干渉部と、
前記第１の可動部を前記第１の可動部干渉部との干渉による退避方向に対して逆方向に付勢する付勢部と
をさらに具備する電子機器。
【請求項３】
請求項２に記載の電子機器であって、
前記第１の可動部および前記第１の可動部干渉部がそれぞれ、前記第１の座標軸および前記第２の座標軸を含む３つの座標軸がなす３つの基準面に対してそれぞれ傾斜したテーパ面を有する
電子機器。
【請求項４】
請求項３に記載の電子機器であって、
前記バッテリパックの前記第１の座標軸方向の前記一方の端部寄りの位置に前記第１の座標軸方向に対して直交する第２の座標軸方向に、前記第１の可動部に対して独立して移動自在に設けられた第２の可動部と、
前記バッテリパック装着部に設けられ、前記バッテリパックが装着される際、前記第２の可動部と干渉して、前記第２の可動部を、前記バッテリパック装着部に対する前記バッテリパックの着脱を規制する第３の位置から着脱を許容する第４の位置に前記第２の座標軸方向に一時的に退避させる第２の可動部干渉部と、
前記第２の可動部干渉部との干渉により退避された前記第２の可動部の前記退避方向に対して逆方向への移動を規制する規制部と
をさらに具備する電子機器。
【請求項５】
請求項４に記載の電子機器であって、
前記第２の可動部および前記第２の可動部干渉部がそれぞれ、前記第１の座標軸および前記第２の座標軸を含む３つの座標軸がなす３つの基準面に対してそれぞれ傾斜したテーパ面を有する
電子機器。
【請求項６】
請求項５に記載の電子機器であって、
前記規制部による前記第２の可動部の規制状態をマニュアルで解除させる規制解除操作部
をさらに具備する電子機器。
【請求項７】
第１の座標軸方向の一方の端部に設けられる蝶番部を介して本体部に開閉可能に設けられる表示部と、前記第１の座標軸方向の一方の端部にバッテリパック装着部とを有する電子機器に着脱自在なバッテリパックであって、
前記バッテリパック装着部の前記第１の座標軸方向の前記一方の端部寄りの位置に設けられた第１のコネクタ部と接続可能な第２のコネクタ部と、
前記バッテリパック装着部の前記第１の座標軸方向の他方の端部に設けられた第１の係合部に対して相対的に前記第１の座標軸方向に嵌り合って係合可能な第２の係合部と、
前記第１の座標軸方向の一方の端部に設けられ、前記蝶番部を避けるための切り欠き部と、
を具備するバッテリパック。
【発明の詳細な説明】
【技術分野】
【０００１】
本発明は、ノート型パーソナルコンピュータなどの電子機器とこれに着脱自在なバッテリパックに関する。
【背景技術】
【０００２】
ノート型パーソナルコンピュータはバッテリパックを着脱できるものが主流である。例えば、ノート型パーソナルコンピュータの本体の背面に、バッテリパックを着脱自在なバッテリ装着部が設けられている。バッテリパックは、ノート型パーソナルコンピュータの本体の底面と略平行な方向に挿入されることで、バッテリパック装着部に装着される。バッテリパック装着部はコネクタを有しており、当該コネクタとバッテリパックが有するコネクタとを接続することで、ノート型パーソナルコンピュータの本体とバッテリパックとの接続が行われる。
【特許文献１】特開２００７−１１５０９１号公報（段落［００１９］、図２）
【発明の開示】
【発明が解決しようとする課題】
【０００３】
しかしながら、上述した技術では、バッテリパック装着部の内側の両側面とバッテリパックの両側面に、バッテリパック装着部内へのバッテリパックの挿入を案内するための溝や突起したレールを設ける必要がある。このため、バッテリパック装着部およびバッテリパックの厚さが溝や突起したレールの分だけ大きくなる。溝や突起したレールはバッテリパックが装着される際に比較的大きな荷重を受けるため、ある程度大きな厚みを要する。したがって、ノート型パーソナルコンピュータの小型化、特に薄型化の妨げとなる。
【０００４】
以上のような事情に鑑み、本発明の目的は、バッテリパックの着脱が容易で小型の電子機器およびバッテリパックを提供することにある。
【課題を解決するための手段】
【０００５】
上記課題を解決するために、本発明に係る電子機器は、第１の座標軸方向の一方の端部に設けられる蝶番部を介して開閉可能に設けられる表示部と、前記第１の座標軸方向の一方の端部にバッテリパック装着部とを有する本体と、前記バッテリパック装着部に対して第１の座標軸方向に沿って着脱自在なバッテリパックと、前記バッテリパック装着部の前記第１の座標軸方向の前記一方の端部寄りの位置に設けられた第１のコネクタ部と、前記バッテリパックに設けられ、前記第１のコネクタ部と接続可能な第２のコネクタ部と、前記バッテリパック装着部の前記第１の座標軸方向の他方の端部に設けられた第１の係合部と、前記バッテリパックに設けられ、前記第１の係合部に対して相対的に前記第１の座標軸方向に嵌り合って係合可能な第２の係合部と、前記バッテリパックの前記第１の座標軸方向の一方の端部に設けられ、前記蝶番部を避けるための切り欠き部とを具備する。
【０００６】
本発明では、バッテリパック装着部にバッテリパックを装着する際、バッテリパックの挿入方向（第１の座標軸方向）の先端の第２の係合部をバッテリパック装着部の第１の係合部を合わせるようにしてバッテリパックを挿入する。このときバッテリパックの挿入姿勢を選択する際の自由度が高いので、バッテリパックの挿入先端側を後端側より下げた姿勢での挿入が可能である。すなわち、バッテリパックの挿入姿勢のバラツキに対する許容の幅が広くなる。例えば、バッテリパック装着部とバッテリパックの幅方向の両側面に挿入方向に沿ったガイドを設けた構造では、バッテリパック装着部へのバッテリパックの挿入姿勢が制限される。これに対して、本発明によれば、挿入方向に沿ったガイドが不要であるから、バッテリパックの姿勢の制約は軽くなる。
【０００７】
また、バッテリパックの背面寄りの部位に、表示部を開閉自在に支持する蝶番部を避けるための切り欠き部を設けたことで、本体部内に蝶番部を配置するスペースを確保する必要がなくなり、電子機器の全体としてのサイズを縮小できる。さらには、蝶番部を設ける位置の選択の自由度も高くなる。また、このようにバッテリパックに蝶番部を避けるための切り欠き部を設けた場合、バッテリパック装着部に対してバッテリパックを着脱する際に蝶番部が邪魔にならないようにする必要がある。本発明の電子機器においては、バッテリパックの挿入姿勢を選択する際の自由度が高いので、バッテリパックの着脱時における蝶番部との干渉を回避できる。
【０００８】
さらに、バッテリパック装着部とバッテリパックの双方のコネクタ部を第１の座標軸方向の他方の端部に設けたことで、装着完了直前にバッテリパックの後端側を先端側（第１の座標軸方向の一方の端部）を支点に下向きに回動させてバッテリパック装着部にバッテリパックが装着される際、モーメントの作用により軽い力で両コネクタ同士を結合させることができる。
【０００９】
本発明は、前記バッテリパックの前記第１の座標軸方向の前記一方の端部寄りの位置に前記第１の座標軸方向に対して直交する第２の座標軸方向に移動自在に設けられた第１の可動部と、前記バッテリパック装着部に設けられ、前記バッテリパックが装着される際、前記第１の可動部と干渉して、前記第１の可動部を、前記バッテリパック装着部に対する前記バッテリパックの着脱を規制する第１の位置から着脱を許容する第２の位置に前記第２の座標軸方向に一時的に退避させる第１の可動部干渉部と、前記第１の可動部を前記第１の可動部干渉部との干渉による退避方向に対して逆方向に付勢する付勢部とをさらに具備するものであってもよい。
【００１０】
本発明では、バッテリパック装着部にバッテリパックを装着する際、バッテリパックの挿入方向の先端の第２の係合部をバッテリパック装着部の第１の係合部を合わせるようにしてバッテリパックを挿入する。この挿入姿勢のままバッテリパックがバッテリパック装着部に挿入されていくと、バッテリパックの第１の可動部がバッテリパック装着部の可動部干渉部からの干渉を受ける。この可動部干渉部からの干渉により、バッテリパックの第１の可動部は、バッテリパック装着部に対するバッテリパックの着脱を規制する第１の位置から着脱を許容する第２の位置に第２の座標軸方向に一時的に移動される。バッテリパックがバッテリパック装着部内にさらに深く挿入されると、バッテリパックの第１の可動部が第１の可動部干渉部から干渉を受けない状態となる。これにより、第１の可動部は付勢部の付勢力によってバッテリパックの着脱を規制する第１の位置に復帰し、バッテリパックの装着が完了する。このような構成を採用した電子機器では、バッテリパックの挿入姿勢のバラツキに対する許容の幅が広くなる。例えば、バッテリパック装着部とバッテリパックの幅方向の両側面に挿入方向に沿ったガイドを設けた構造では、バッテリパック装着部にバッテリパックを挿入する初期段階からバッテリパックの挿入姿勢が制限される。これに対して、本発明によれば、挿入方向に沿ったガイドが不要であるから、少なくとも、挿入初期段階でのバッテリパックの姿勢の制約は軽い。また、バッテリパック装着部とバッテリパックの幅方向の両側面に挿入方向に沿ったガイドが不要になるため、小型化が容易になる。
【００１１】
本発明は、前記第１の可動部および前記第１の可動部干渉部がそれぞれ、前記第１の座標軸および前記第２の座標軸を含む３つの座標軸がなす３つの基準面に対してそれぞれ傾斜したテーパ面を有するものとしてもよい。これにより、バッテリパックの挿入姿勢の制約をさらに軽減することができる。
【００１２】
本発明は、前記バッテリパックの前記第１の座標軸方向の前記一方の端部寄りの位置に前記第１の座標軸方向に対して直交する第２の座標軸方向に、前記第１の可動部に対して独立して移動自在に設けられた第２の可動部と、前記バッテリパック装着部に設けられ、前記バッテリパックが装着される際、前記第２の可動部と干渉して、前記第２の可動部を、前記バッテリパック装着部に対する前記バッテリパックの着脱を規制する第３の位置から着脱を許容する第４の位置に前記第２の座標軸方向に一時的に退避させる第２の可動部干渉部と、前記第２の可動部干渉部との干渉により退避された前記第２の可動部の前記退避方向に対して逆方向への移動を規制する規制部とをさらに具備するものであってもよい。この構成を付加することによって、バッテリパック装着部に挿入されたバッテリパックを装着状態でロックすることができる。
【００１３】
本発明は、前記規制部による前記第２の可動部の規制状態をマニュアルで解除させる規制解除操作部をさらに具備するものとしてもよい。
【発明の効果】
【００１４】
以上のように、本発明によれば、バッテリパックの着脱の作業が容易で小型の電子機器を提供することができる。
【発明を実施するための最良の形態】
【００１５】
以下、本発明の実施の形態を図面に基づき説明する。  
本実施形態では電子機器としてノート型パーソナルコンピュータを一例に挙げて説明する。
【００１６】
以下、本発明の実施の形態を図面に基づき説明する。  
本実施形態では電子機器としてノート型パーソナルコンピュータを一例に挙げて説明する。
【００１７】
＜電子機器の構成＞
図１は本発明の一実施形態に係る電子機器の開いた状態の斜視図である。  
電子機器１は、表示部２と、本体部３と、これら表示部２と本体部３とを連結するヒンジ４とを備えている。
【００１８】
表示部２は、ヒンジ４を介して本体部３に対して開閉可能である。表示部２は、表示側筐体５、表示面６と、表示側筐体５内に設けられた表示処理を行う図示しない表示処理ユニットとを備えている。
【００１９】
表示側筐体５は、図示しない表示処理ユニットを収容する表示部２の筐体である。表示面６は、情報を表示するための画面であり、閉じた状態で本体部３に対面する。表示側筐体５には、ヒンジ４が二つ取り付けられている。これら二つのヒンジ４により本体部３に対して表示部２が回動自在に設けられている。
【００２０】
本体部３は、本体部３の上面側の部分を構成するパームレストユニット１０（キーボードユニット）と、本体部３の底面側の部分を構成する本体ユニット１１とを備える。本体部３は、パームレストユニット１０と本体ユニット１１とが組み合わされて一体化される。パームレストユニット１０及び本体ユニット１１はともに複数の部材により構成されているがともに外装表面に目立つネジ等は形成されていない。
【００２１】
本体ユニット１１には、複数の電子部品等が実装されたプリント基板、放熱ユニット、ハードディスクドライブなどのドライブ類などが搭載されている。プリント基板には、ＣＰＵ（Ｃｅｎｔｒａｌ Ｐｒｏｃｅｓｓｉｎｇ Ｕｎｉｔ）、メモリ、その他の電子部品が実装されている。
【００２２】
パームレストユニット１０は、第１の外装部材としてのパームレスト１２と、キーボード１３とを備える。パームレスト１２は、矩形板状の外装部材であり、本体部３の外装面を形成する。パームレスト１２は、キーボード１３のキーが入り込む貫通孔が複数形成されている。つまり、これらの貫通孔は、各キーの位置に対応した位置に形成されている。
【００２３】
キーボード１３は、電子機器１の入力部として機能し、内部に例えばＰＥＴからなる図示しないシートスイッチ等を内蔵している。キーボード１３は、その上面側に複数のキーを備える。
【００２４】
図２は図１に示す電子機器１の裏面を示す平面図である。同図において、左側はユーザから見て電子機器１の正面側、右側はユーザから見て電子機器１の背面側である。同図に示すように、電子機器１は、本体部３（本体ユニット１１）に対して着脱自在なバッテリパック２０を備える。バッテリパック２０としては、例えばリチウムイオンポリマーバッテリなどが用いられる。図３は電子機器１からバッテリパック２０を取り出した状態の斜視図である。電子機器１の本体部３（本体ユニット１１）の背面側の裏側には、バッテリパック２０の着脱が可能な凹空間であるバッテリパック装着部３０が設けられている。バッテリパック２０とバッテリパック装着部３０は、バッテリパック２０がバッテリパック装着部３０に装着されているとき、バッテリパック２０の外装面が本体ユニット１１の裏側の外装面の一部として見えるようになっている。
【００２５】
＜バッテリパック２０とバッテリパック装着部３０の構成＞
図４は電子機器１のバッテリパック装着部３０の構成を説明するための斜視図である。図５はバッテリパック２０のバッテリパック装着部３０への装着面の構成を説明するための斜視図である。図６はバッテリパック２０をＸ軸方向とＺ軸方向の計４方向から見た側面図である。図７はバッテリパック２０をＹ軸方向から見た側面図とその一部拡大図である。
【００２６】
図４に示すように、バッテリパック装着部３０には、バッテリパック２０と係合される部位として、第１の係合部としての３つの係合穴３１ａ，３１ｂ，３１ｃ、２つのラッチ止め３２ａ，３２ｂ、係合凹部３３、および可動部干渉部としての２つの可動部干渉片３４ａ，３４ｂが設けられている。一方、図５乃至図７に示すように、バッテリパック２０には、バッテリパック装着部３０と係合される部位として、第２の係合部である３つの係合突起２１ａ，２１ｂ，２１ｃ、２つのラッチ２２ａ，２２ｂ、係合凸部２３、および２つの可動部２４ａ，２４ｂが設けられている。
【００２７】
３つの係合穴３１ａ，３１ｂ，３１ｃは、バッテリパック装着部３０の正面側の内側壁にＹ軸方向において互いに離間して設けられている。これらの係合穴３１ａ，３１ｂ，３１ｃにはそれぞれ、バッテリパック２０の正面側の外側壁に設けられた３つの係合突起２１ａ，２１ｂ，２１ｃが各々Ｘ軸方向から嵌り込むことによって互いに係合可能とされている。なお、バッテリパック装着部３０の３つの係合穴３１ａ，３１ｂ，３１ｃのうち中間の係合穴３１ｂは、Ｙ軸方向において両側２つの係合穴３１ａ，３１ｃの中間の位置から偏倚した位置に設けられている。バッテリパック２０の３つの係合突起２１ａ，２１ｂ，２１ｃのうち中間の係合突起２１ｂの位置も同様である。これによりバッテリパック２０が誤って裏表逆向きでバッテリパック装着部３０に装着されることを防止している。
【００２８】
バッテリパック装着部３０の背面寄りの部位には、上記の２つのラッチ止め３２ａ，３２ｂと、係合凹部３３と、２つの可動部干渉片３４ａ，３４ｂとが設けられている。２つのラッチ止め３２ａ，３２ｂはＹ軸方向の両端部にそれぞれ設けられている。これらのラッチ止め３２ａ，３２ｂはそれぞれ、バッテリパック２０の背面寄りの部位に設けられた個々のラッチ２２ａ，２２ｂを係止することによって互いに係合可能とされている。係合凹部３３はＹ軸方向において２つのラッチ止め３２ａ，３２ｂの略中間の位置に設けられている。係合凹部３３にはバッテリパック２０の係合凸部２３が嵌め込まれることによって互いに係合可能とされている。
【００２９】
また、図４に示すように、バッテリパック装着部３０の背面寄りの部位にはバッテリパック２０との電気的な接続部である雄型コネクタ部３５が設けられている。この雄型コネクタ部３５は、複数の板状のコネクタピン３５ａを有している。これらの複数のコネクタピン３５ａは、互いに所定の間隔を置いて配置されている。一方、図５に示すように、バッテリパック２０には、電子機器１の本体部３との電気的な接続部である雌型コネクタ部２５が設けられている。この雌型コネクタ部２５は、雄型コネクタ部３５の個々のコネクタピン３５ａをＺ軸とＸ軸がなす面に沿った方向から挿入することが可能な複数のピン挿入部２５ａを有している。それぞれのピン挿入部２５ａには、Ｚ軸とＸ軸がなす面でコネクタピン３５ａと接触可能な電極が設けられている。これにより、Ｚ軸とＸ軸がなす面内での所定の軌跡に沿ってバッテリパック２０がバッテリパック装着部３０に装着される際に、バッテリパック装着部３０の雄型コネクタ部３５とバッテリパック２０の雌型コネクタ部２５とがスムースに結合される。
【００３０】
さらに、図４に示すように、バッテリパック装着部３０の背面寄りの部位には、表示部２を本体部３に対して開閉可能に支持する上記のヒンジ４，４が設けられている。
【００３１】
＜バッテリパック２０の外装＞
図２、図３、図６および図７に示すように、バッテリパック装着部３０にバッテリパック２０が装着されているとき電子機器１の裏側に露出するバッテリパック２０の外装面の略全面には、凹凸による一様な模様（テスクチャ）２６が設けられている。この凹凸による一様な模様２６は、ユーザが電子機器１を把持する際の滑り止めとしての機能を果す。また、模様２６の選定によりデザインのバリエーションを増やすことができるという効果も得られる。模様２６の凹凸は、滑り止めの機能を重視して、その凹凸の深さやピッチなどが好適に選定されている。図７の（ｂ）は図７の（ａ）の一部（イ部）を拡大した図である。図７の例では、指の表面に受ける刺激が強くなりすぎないように角を丸めた凹凸が採用されている。また、バッテリパック装着部３０に対してバッテリパック２０の着脱の方向は主にＸ軸方向であることから、Ｘ軸方向の力を効率的に受けることができるような模様とすべきである。より好ましくは、Ｙ軸方向に凹凸部の稜線が沿うような模様が好適である。
【００３２】
図２６はバッテリパック２０の外装面の模様２６の別の例を示す図である。この例では、凹凸部の稜線を波線状にしたものである。図２７はバッテリパック２０の外装面の模様２６のさらに別の例を示す図である。Ｘ軸方向の力を受けることができる模様であれば、同図に示すような線状以外の模様であってもよい。この例は、小さな円形の凸部を均一に配したものである。逆に、小さな円形の凹部を均一に配したものであってもよい。凹凸部の形状は円以外のものであっても構わない。例えば、矩形でもよいし、不規則な形でもよい。
【００３３】
また、図２、図５、図６、図２８に示すように、バッテリパック２０の背面寄りの部位には、上記のヒンジ４，４を避けるための一対の切り欠き部３９ａ，３９ｂが設けられている。図２８は表示部２と本体部３とバッテリパック２０とヒンジ４，４との関係を電子機器１の裏側から示す平面図である。このようにバッテリパック２０の背面寄りの部位に、上記のヒンジ４，４を避けるための一対の切り欠き部３９ａ，３９ｂを設けたことで、バッテリパック２０を、背面側に設けられたバッテリパック装着部３０に対して着脱自在な構成を容易に実現することができる。すなわち、電子機器１の本体部３にヒンジ４，４を配置するスペースを確保する必要がなくなり、電子機器１の全体としてのサイズを縮小できる。さらには、ヒンジ４，４を設けるＹ軸方向の位置の選択の自由度も高くなる。
【００３４】
ところで、バッテリパック２０の背面寄りの部位に、上記のヒンジ４，４を避けるための一対の切り欠き部３９ａ，３９ｂを設けた場合、バッテリパック装着部３０に対してバッテリパック２０を着脱する際にヒンジ４，４が邪魔にならないようにすることが要求される。そこでバッテリパック２０の挿抜時にヒンジ４，４を避けるように挿抜時のバッテリパック２０の姿勢を制御する構造を本電子機器１は採用している。この干渉構造については後で説明する。
【００３５】
＜バッテリパック装着部の可動部干渉片とバッテリの可動部の詳細＞
次に、バッテリパック装着部３０の可動部干渉片３４ａ，３４ｂとバッテリパック２０の可動部２４ａ，２４ｂについて詳細を説明する。
【００３６】
図４に示すバッテリパック装着部３０において２つの可動部干渉片３４ａ，３４ｂの周辺部位をそれぞれＡ、Ｂとし、図５に示すバッテリパック２０において、Ａ部の可動部干渉片３４ａに対応する可動部２４ａの周辺部位をａとし、Ｂ部の可動部干渉片３４ｂに対応する可動部２４ｂの周辺部位をｂとする。
【００３７】
図８は図５に示すバッテリパック２０における可動部２４ａ周辺のａ部を拡大した斜視図である。図９は図８の平面図である。図１０は図８の側面図である。これらの図に示すように、ａ部の可動部２４ａは、電子機器１の正面側にＸ，Ｙ，Ｚの３軸がなす３つの基準面それぞれに対して傾斜したテーパ面２７ａを有する。ａ部の可動部２４ａは、バッテリパック２０の筐体１５に対してＹ軸方向に所定の可動域を持つ。この可動域は筐体１５に、ａ部の可動部２４ａをＺ軸方向へ突出させるように設けられた開口１６ａによってＹ軸方向の長さが制限される。そして図１４に示すように、ａ部の可動部２４ａは、圧縮バネ２９などの弾性手段により図中ｙ０方向に付勢されている。すなわち、ａ部の可動部２４ａはこれを支持する可動部基台４１ａに設けられており、この可動部基台４１ａごとＹ軸方向の可動域を移動自在とされている。可動部基台４１ａには、バッテリパック２０の筐体１５に設けられた固定バネ受け部４２に一端が固定された圧縮バネ２９の他端を受ける可動バネ受け部４３が設けられている。この構造により、ａ部の可動部２４ａは常に図中ｙ０方向に付勢されるようになっている。
【００３８】
図１１は図４に示すバッテリパック２０における可動部２４ｂ周辺のｂ部を拡大した斜視図である。図１２は図１１の平面図である。図１３は図１１の側面図である。これらの図に示すように、ｂ部の可動部２４ｂも、ａ部の可動部２４ａと同様に、電子機器１の正面側にＸ，Ｙ，Ｚの３軸がなす３つの基準面それぞれに対して傾斜したテーパ面２７ｂを有する。ｂ部の可動部２４ｂは、ａ部の可動部２４ａと同様に、バッテリパック２０の筐体１５に対してＹ軸方向に所定の可動域を持つ。この可動域は筐体１５に、ｂ部の可動部２４ｂをＺ軸方向へ突出させるように設けられた開口１６ｂによってＹ軸方向の長さが制限される。そして図１５に示すように、ｂ部の可動部２４ｂは、これを支持する可動部基台４１ｂに設けられており、この可動部基台４１ｂごとＹ軸方向の可動域を移動自在となっている。可動部基台４１ｂにはラッチ４４が設けられている。ラッチ４４には、バッテリパック２０の筐体１５に固定されたＶ字ノッチ４５と係合される凸部４６が設けられている。
【００３９】
図１５（ａ）に示すように、ｂ部の可動部２４ｂが可動域のｙ１方向の末端に位置するとき、ラッチ４４の凸部４６がＶ字ノッチ４５のｙ１方向側の傾斜面と干渉することで、ｂ部の可動部２４ｂのｙ０方向への移動が規制される。したがって、このときｂ部の可動部２４ｂは可動域のｙ１方向の末端位置に拘束される。
【００４０】
図１５（ｂ）に示すように、ｂ部の可動部２４ｂが可動域のｙ０方向の末端に位置しているとき、ラッチ４４の凸部４６がＶ字ノッチ４５のｙ０方向側の傾斜面と干渉することで、ｂ部の可動部２４ｂのｙ１方向への移動が規制される。したがって、このときｂ部の可動部２４ｂは可動域のｙ０方向の末端位置に拘束される。
【００４１】
次に、バッテリパック装着部３０の２つの可動部干渉片３４ａ，３４ｂの詳細を説明する。これらの可動部干渉片３４ａ，３４ｂは、バッテリパック２０がバッテリパック装着部３０に装着される際に上記の可動部２４ａ、２４ｂと干渉するものである。
【００４２】
図１６は図４に示すバッテリパック装着部３０における可動部干渉片３４ａ周辺のＡ部を拡大した斜視図である。図１７は図１６の平面図である。図１８は図１６を別の角度から見た斜視図である。Ａ部の可動部干渉片３４ａは、バッテリパック装着部３０にバッテリパック２０が装着される際、バッテリパック２０のａ部の可動部２４ａのテーパ面２７ａと当接して、その可動部２４ａを圧縮バネ２９の付勢力に逆らってＹ軸方向の可動域内でｙ１方向へ移動させるテーパ面３７ａをもつ。すなわち、図１４（ａ）および（ｂ）に示すように、バッテリパック装着部３０にバッテリパック２０が装着される際、Ａ部の可動部干渉片３４ａは、テーパ面３７ａで、バッテリパック２０のａ部の可動部２４ａのテーパ面２７ａと当接してこれを押圧する。これらのテーパ面３７ａ，２７ａ同士の作用により、ａ部の可動部２４ａは圧縮バネ２９の付勢力に逆らってＹ軸方向の可動域内でｙ１方向へ移動する。Ａ部の可動部干渉片３４ａのテーパ面３７ａは、Ｘ，Ｙ，Ｚの３軸がなす３つの基準面それぞれに対して傾斜したテーパ面である。
【００４３】
また、図１６乃至図１８に戻って、Ａ部の可動部干渉片３４ａは、正面側の端にＺ軸とＹ軸とがなす基準面に沿った平坦面３８ａを有している。この平坦面３８ａは、図１４（ｃ）および図１７に示すように、バッテリパック装着部３０に装着されたバッテリパック２０のａ部の可動部２４ａの側面２８ａを背面側より押さえる部位である。すなわち、図１４（ｂ）はＡ部の可動部干渉片３４ａのテーパ面３７ａからの押圧によってａ部の可動部２４ａがＹ軸方向の可動域内のｙ１方向の末端位置に到達した状態を示している。この状態から、バッテリパック２０がバッテリパック装着部３０にさらに深く押し込まれると、ａ部の可動部２４ａはＡ部の可動部干渉片３４ａによる干渉から解かれ、圧縮バネ２９の付勢力によりＹ軸方向の可動域内のｙ１方向の末端位置から逆のｙ０方向の末端位置まで移動する。図１４（ｃ）は、その直後の状態を示している。このようにバッテリパック装着部３０に装着されたバッテリパック２０のａ部の可動部２４ａの側面２８ａがＡ部の可動部干渉片３４ａの平坦面３８ａで電子機器１の背面側より押さえることで、ａ部の可動部２４ａの電子機器１の背面側への移動が規制された状態となる。
【００４４】
図１９は図４に示すバッテリパック装着部３０における可動部干渉片３４ｂ周辺のＢ部を拡大した斜視図である。図２０は図１９の平面図である。図２１は図１９を別の角度から見た斜視図である。Ｂ部の可動部干渉片３４ｂの構成は、Ａ部の可動部干渉片３４ａと同様である。Ｂ部の可動部干渉片３４ｂは、バッテリパック装着部３０にバッテリパック２０が装着される際、バッテリパック２０のｂ部の可動部２４ｂのテーパ面２７ｂと当接して、その可動部２４ｂをＹ軸方向の可動域内でｙ１方向へ移動させるテーパ面３７ｂをもつ。すなわち、図１５（ａ）および（ｂ）に示すように、バッテリパック装着部３０にバッテリパック２０が装着される際、Ｂ部の可動部干渉片３４ｂは、テーパ面３７ｂで、バッテリパック２０のｂ部の可動部２４ｂのテーパ面２７ｂを押圧する。これらのテーパ面３７ｂ，２７ｂ同士の作用により、ｂ部の可動部２４ｂは、Ｖ字ノッチ４５のｙ１方向側の傾斜面とラッチ４４の凸部４６との係合による抵抗に逆らってＹ軸方向の可動域内でｙ０方向へ移動する。Ｂ部の可動部干渉片３４ｂのテーパ面３７ｂは、Ａ部の可動部干渉片３４ａのテーパ面３７ａと同様に、Ｘ，Ｙ，Ｚの３軸がなす３つの基準面それぞれに対して傾斜したテーパ面である。
【００４５】
また、図１９乃至図２１に戻って、Ｂ部の可動部干渉片３４ｂは、正面側の端にＺ軸とＹ軸とがなす基準面に沿った平坦面３８ｂを有している。この平坦面３８ｂは、図１５（ｄ）および図２０に示すように、Ａ部の可動部干渉片３４ａと同様、バッテリパック装着部３０に装着されたバッテリパック２０のｂ部の可動部２４ｂの側面２８ｂを背面側より押さえる部位である。すなわち、図１５（ｂ）はＢ部の可動部干渉片３４ｂのテーパ面３７ｂからの押圧によってｂ部の可動部２４ｂがＹ軸方向の可動域内のｙ０方向の末端位置に到達した状態を示している。この状態から、バッテリパック２０がバッテリパック装着部３０にさらに深く押し込まれると、図１５（ｃ）のように、ｂ部の可動部２４ｂはＢ部の可動部干渉片３４ｂからの干渉から解かれて、Ｙ軸方向の可動域内のｙ１方向に移動可能な状態になる。ｂ部の可動部２４ｂはバッテリパック２０の外装面に露出して設けられたスライド操作部４７ｂ（図２、図６、図２２、図２３参照）のマニュアル操作によってＹ軸方向の可動域内で移動されるようになっている。したがって、図１５（ｃ）の状態から、ユーザがスライド操作部４７ｂを操作してｂ部の可動部２４ｂをｙ１方向の末端位置まで移動させることによって、図１５（ｄ）の状態になる。つまりバッテリパック２０のｂ部の可動部２４ｂの側面２８ｂがＢ部の可動部干渉片３４ｂの平坦面３８ｂで背面側より押さえられ、ｂ部の可動部２４ｂの背面側への移動が規制されるようになっている。
【００４６】
図２２に示すように、バッテリパック２０のａ部およびｂ部それぞれの可動部２４ａ，２４ｂの可動部基台４１ａ，４１ｂにはスライド操作部４７ａ，４７ｂが一体に設けられている。これらのスライド操作部４７ａ，４７ｂは、それぞれ個別にマニュアルでＹ軸方向にスライドさせることが可能とされている。スライド操作部４７ａ，４７ｂのＹ軸方向の可動域は可動部２４ａ，２４ｂのＹ軸方向の可動域と同じである。
【００４７】
図２３は、スライド操作部４７ａ，４７ｂのロック時とリリース時のポジションを示している。スライド操作部４７ａ，４７ｂの表面にはロック方向を示す矢印が設けられている。ここで、ロック時とは、図１４（ｃ）および図１５（ｄ）の状態であり、すなわち、バッテリパック２０の可動部２４ａ，２４ｂの側面２８ａ，２８ｂが可動部干渉片３４ａ，３４ｂの平坦面３８ａ，３８ｂで背面側より押さえられた状態をいう。このロック状態では、バッテリパック装着部３０からバッテリパック２０を外すことは不可である。リリース時とは、図１４（ｂ）および図１５（ｂ）（ｃ）の状態であり、すなわち、バッテリパック２０の可動部２４ａ，２４ｂが可動部干渉片３４ａ，３４ｂによる干渉から解かれた状態という。このリリース状態では、バッテリパック装着部３０からバッテリパック２０を外すことが可能である。
【００４８】
＜バッテリパック２０の装着動作＞
次に、バッテリパック装着部３０にバッテリパック２０を装着する動作を説明する。
【００４９】
図２４はバッテリパック装着部３０にバッテリパック２０を装着する際の動作を示す図である。
【００５０】
まず、図２４（ａ）に示すように、バッテリパック装着部３０の３つの係合穴３１ａ，３１ｂ，３１ｃにバッテリパック２０の３つの係合突起２１ａ，２１ｂ，２１ｃを合わせるようにしてバッテリパック２０を背面側よりバッテリパック装着部３０内に挿入する。このときＸ軸に対するバッテリパック２０の挿入姿勢は、バッテリパック装着部３０の各係合穴３１ａ，３１ｂ，３１ｃにバッテリパック２０の各係合突起２１ａ，２１ｂ，２１ｃを挿入可能な範囲に制限される。
【００５１】
図２４（ｂ）は、バッテリパック装着部３０内にバッテリパック２０がある程度挿入された時点の状態を示している。この時点では、バッテリパック２０の各可動部２４ａ，２４ｂが、各々のテーパ面２７ａ，２７ｂで、バッテリパック装着部３０の各可動部干渉片３４ａ，３４ｂ各々のテーパ面３７ａ，３７ｂと当接する。この状態は、図１４（ａ）および図１５（ａ）の状態である。
【００５２】
バッテリパック２０がバッテリパック装着部３０内にさらに深く押し込まれると、バッテリパック装着部３０のＡ部の可動部干渉片３４ａとの干渉により、ａ部の可動部２４ａが圧縮バネ２９の付勢力に逆らって可動域内でｙ１方向の末端へ移動する。同時に、バッテリパック装着部３０のＢ部の可動部干渉片３４ｂとの干渉により、ｂ部の可動部２４ｂがＶ字ノッチ４５の傾斜面とラッチ４４の凸部４６との係合による抵抗に逆らって可動域内でｙ０方向の末端へ移動する。この状態は、図１４（ｂ）および図１５（ｂ）（ｃ）に示されている通りである。また、このときスライド操作部４７ａ，４７ｂは図２３の（ｂ）のリリース時の位置に移動される。
【００５３】
バッテリパック２０の各可動部２４ａ，２４ｂが各可動部干渉片３４ａ，３４ｂと干渉しなくなるまでバッテリパック２０が押し込まれると、ａ部の可動部２４ａが圧縮バネ２９の付勢力により可動域のｙ０方向側の末端位置まで移動される。これにより、ａ部の可動部２４ａの側面２８ａがＡ部の可動部干渉片３４ａの平坦面３８ａで背面側より押さえられ、ａ部の可動部２４ａの背面側への移動が規制された状態となる。
【００５４】
一方、この時点でｂ部の可動部２４ｂとＢ部の可動部干渉片３４ｂとの位置関係は図１５（ｃ）に示す状態にある。ここで、ｂ部の可動部２４ｂに対応するスライド操作部４７ｂをマニュアル操作によって、Ｖ字ノッチ４５の傾斜面とラッチ４４の凸部４６との係合による抵抗に逆らってｙ１方向の末端まで移動させる。スライド操作部４７ｂをｙ１方向の末端まで移動させた状態が図１５（ｄ）である。この時点でバッテリパック２０のｂ部の可動部２４ｂの側面２８ｂがＢ部の可動部干渉片３４ｂの平坦面３８ｂで背面側より押さえられ、ｂ部の可動部２４ｂの背面側への移動が規制された状態になる。したがって、バッテリパック２０は、Ｙ軸方向において離間した２箇所で、背面側への移動が規制されたロック状態になる。また、このとき、バッテリパック装着部３０の３つの係合穴３１ａ，３１ｂ，３１ｃ、２つのラッチ止め３２ａ，３２ｂ、係合凹部３３がそれぞれ、バッテリパック２０の３つの係合突起２１ａ，２１ｂ，２１ｃ、２つのラッチ２２ａ，２２ｂ、係合凸部２３と係合される。すなわち、バッテリパック装着部３０へのバッテリパック２０の装着が完了となる。
【００５５】
一方、以上のようにバッテリパック装着部３０にバッテリパック２０が装着される過程で、バッテリパック装着部３０の背面寄りの部位に設けられた雄型コネクタ部３５とバッテリパック２０に設けられた雌型コネクタ部２５との接続が行われる。
【００５６】
図２５は雄型コネクタ部３５と雌型コネクタ部２５との接続の様子を示す図である。ここで、（ａ）（ｂ）（ｃ）はそれぞれ図２４の（ａ）（ｂ）（ｃ）のタイミングに対応する。同図に示すように、バッテリパック装着部３０にバッテリパック２０が装着される過程で、バッテリパック装着部３０に設けられた雄型コネクタ部３５の個々のコネクタピン３５ａが、バッテリパック２０に設けられた雌型コネクタ部２５のピン挿入部２５ａに挿入されて、互いに接続される。
【００５７】
また、この電子機器１では、バッテリパック装着部３０にバッテリパック２０が装着される際に、バッテリパック２０は正面側を背面側より下に傾けた姿勢のまま装着完了の直前時まで装填されるので、バッテリパック２０とヒンジ４，４とが干渉するのを回避できる。
【００５８】
バッテリパック装着部３０からバッテリパック２０を外す場合は、図２３（ｂ）に示すように、２つのスライド操作部４７ａ，４７ｂを同時に、ロック方向を示す矢印とは逆方向に可動域内で一杯までマニュアルでスライドさせる。これにより、バッテリパック２０のそれぞれの可動部２４ａ，２４ｂの側面２８ａ，２８ｂを背面側より押さえていた可動部干渉片３４ａ，３４ｂがＹ軸方向に退き、バッテリパック２０を背面側へ引き出すことが可能となる。
【００５９】
以上説明したように、本実施形態の電子機器１によれば、バッテリパック２０の挿入姿勢のバラツキに対する許容の幅が広くなる。例えば、バッテリパック装着部とバッテリパックの幅方向の両側面に挿入方向に沿ったガイドを設けた構造では、バッテリパック装着部にバッテリパックを挿入する初期段階からバッテリパックの挿入姿勢が制限される。これに対して、本実施形態によれば、挿入方向に沿ったガイドが不要であるから、少なくとも、挿入初期段階でのバッテリパック３０の姿勢の制約は軽くなる。また、挿入方向に沿ったガイドが不要になるため、小型化が容易になる。
【００６０】
また、本実施形態の電子機器１では、バッテリパック２０の可動部２４ａ，２４ｂとバッテリパック装着部３０の可動部干渉片３４ａ，３４ｂとの干渉面を、Ｘ，Ｙ，Ｚの３軸がなす３つの基準面それぞれに対して傾斜したテーパ面としている。これにより、バッテリパック装着部３０に挿入されたバッテリパック２０の、Ｚ軸方向である高さ位置のバラツキに対する許容の幅を大きく確保できる。これにより、バッテリパック２０の着脱の作業をより楽に行うことが可能になる。
【００６１】
なお、本発明は以上説明した実施の形態には限定されるものではなく、本発明の技術思想の範囲内で種々の変形が可能である。
【図面の簡単な説明】
【００６２】
【図１】本発明の一実施形態に係る電子機器の開いた状態の斜視図である。
【図２】図１に示す電子機器の裏面を示す平面図である。
【図３】図１に示す電子機器とバッテリパックとを分離した状態の斜視図である。
【図４】図１に示す電子機器のバッテリパック装着部の構成を説明するための斜視図である。
【図５】図３に示すバッテリパックのバッテリパック装着部への装着面の構成を説明するための斜視図である。
【図６】図５に示すバッテリパックをＸ軸方向とＺ軸方向の計４方向から見た側面図である。
【図７】図５に示すバッテリパックをＹ軸方向から見た側面図とその一部拡大図である。
【図８】図５に示すバッテリパックにおけるａ部を拡大した斜視図である。
【図９】図８の平面図である。
【図１０】図８の側面図である。
【図１１】図４に示すバッテリパックにおけるｂ部を拡大した斜視図である。
【図１２】図１１の平面図である。
【図１３】図１１の側面図である。
【図１４】バッテリパックのａ部の可動部とバッテリパック装着部のＡ部の可動部干渉片との関係を示す図である。
【図１５】バッテリパックのｂ部の可動部とバッテリパック装着部のＢ部の可動部干渉片との関係を示す図である。
【図１６】図４に示すバッテリパック装着部におけるＡ部を拡大した斜視図である。
【図１７】図１６の平面図である。
【図１８】図１６を別の角度から見た斜視図である。
【図１９】図４に示すバッテリパック装着部におけるＢ部を拡大した斜視図である。
【図２０】図１９の平面図である。
【図２１】図１９を別の角度から見た斜視図である。
【図２２】バッテリパックの可動部の断面図である。
【図２３】バッテリパックのスライド操作部のロック時とリリース時のポジションを示す平面図である。
【図２４】バッテリパック装着部にバッテリパックを装着する際の動作を示す図である。
【図２５】バッテリパック装着部の雄型コネクタ部とバッテリパックの雌型コネクタ部との接続の様子を示す図である。
【図２６】バッテリパックの外装面の模様の別の例を示す図である。
【図２７】バッテリパックの外装面の模様のさらに別の例を示す図である。
【図２８】表示部と本体部とバッテリパックとヒンジとの関係を電子機器の裏側から示す平面図である。
【符号の説明】
【００６３】
１…電子機器
２０…バッテリパック
２１ａ．２１ｂ，２１ｃ…係合突起
２４ａ．２４ｂ…可動部
２５…雌型コネクタ部
２７ａ．２７ｂ…テーパ面
２９…圧縮バネ
３０…バッテリパック装着部
３１ａ．３１ｂ，３１ｃ…係合穴
３４ａ．３４ｂ…可動部干渉片
３５…雄型コネクタ部
３７ａ．３７ｂ…テーパ面
４４…ラッチ
４５…Ｖ字ノッチ
４７ａ．４７ｂ…スライド操作部
【図１】
2010157442.tif 000003
【図２】
2010157442.tif 000004
【図３】
2010157442.tif 000005
【図４】
2010157442.tif 000006
【図５】
2010157442.tif 000007
【図６】
2010157442.tif 000008
【図７】
2010157442.tif 000009
【図８】
2010157442.tif 000010
【図９】
2010157442.tif 000011
【図１０】
2010157442.tif 000012
【図１１】
2010157442.tif 000013
【図１２】
2010157442.tif 000014
【図１３】
2010157442.tif 000015
【図１４】
2010157442.tif 000016
【図１５】
2010157442.tif 000017
【図１６】
2010157442.tif 000018
【図１７】
2010157442.tif 000019
【図１８】
2010157442.tif 000020
【図１９】
2010157442.tif 000021
【図２０】
2010157442.tif 000022
【図２１】
2010157442.tif 000023
【図２２】
2010157442.tif 000024
【図２３】
2010157442.tif 000025
【図２４】
2010157442.tif 000026
【図２５】
2010157442.tif 000027
【図２６】
2010157442.tif 000028
【図２７】
2010157442.tif 000029
【図２８】
2010157442.tif 000030